(57)【特許請求の範囲】
【請求項１】
収納容器注出口に固定される樹脂製口金部材において、樹脂製口金部材は、その下部に前記収納容器注出口周縁に設けられた口金部材取付部に固定される固定部と、前記固定部の内側縁に突出形成されるカシメ用突起部と、前記樹脂製口金部材の上部に拡径して形成される王冠蓋取付部とからなり、前記固定部を、前記収納容器の口金部材取付部に凹み形成される口金部材載置部に填め込み載置し、前記収納容器の口金部材載置部の内周縁を垂直に立ち上げ、前記内周縁の立上部の上方を外側に折り曲げて挟持用上面を形成するとともに、さらにその先端を内側下方へと折り曲げてこれを前記内周縁の立上部へと当接させることにより、前記カシメ用突起部の厚さより薄い板厚からなる折り曲げ部を形成し、前記王冠蓋取付部は、前記折り曲げ部における挟持用上面に非接触とさせつつ上部に拡径して形成されてなり、前記口金部材載置部の底面と、前記王冠蓋取付部が非接触とされた前記折り曲げ部における挟持用上面とが挟持された上で、当該挟持用上面を下方に押し込むようにして、前記填め込み載置された口金部材本体のカシメ用突起部を強く圧着するように押さえ込み、カシメ固着することにより収納容器注出口に固定されることを特徴とする収納容器の樹脂製口金部材。
【請求項２】
収納容器注出口に固定される樹脂製口金部材において、樹脂製口金部材は、内側壁部と外側壁部との間に形成される填め込み溝と、前記填め込み溝の外側壁の内側に形成される抜け防止のためのストッパー部と、前記樹脂製口金部材の上部を拡径して形成される王冠蓋取付部とからなり、前記樹脂製口金部材の填め込み溝を、収納容器の天板に突出形成される口金部材取付部の先端部を外側に折り曲げて形成した先端突出部に填め込み、前記填め込み溝の前記外側壁の内側に形成しストッパーと内側壁の外側面によって填り込んだ前記収納容器の口金部材取付部を強く挟持し固定することを特徴とする収納容器の樹脂製口金部材。
【請求項３】
前記樹脂製口金部材の王冠蓋取付部の天井部に上方に弾性力を有する外側に開いた密着片を形成し、前記樹脂製口金部材に着脱自在に装着される王冠蓋の下面と前記密着片との圧接により開口部を密封することを特徴とする請求項１又は２に記載の収納容器の樹脂製口金部材。
【請求項４】
前記樹脂製口金部材の内側壁の内側面に環状突起を形成し、前記内側壁の下端に内側方向に水平に伸びる水平棚部を形成したことを特徴とする請求項２又は３に記載の収納容器の樹脂製口金部材。
【請求項５】
前記樹脂製金部材の内側壁が直線的に下方に伸び、前記内側壁の内側面を平坦とし、前記内側壁の下端の外側面にテーパ部を形成したことを特徴とする請求項２又は３に記載の収納容器の樹脂製口金部材。
【発明の詳細な説明】
【０００１】
【発明の属する技術分野】
本発明は、蓋を取付ける容器の口金部材に係り、特に天井部が凸状態においては側壁の多数の爪片で容器の突出した容器口を外側から把持して該容器口を密封し、前記天井部を押し凹ませることにより前記爪片を外側に開かせて、前記容器口の把持状態を解放して該容器口から外すことができるようにしてなる王冠蓋を取付けるのに適した、一斗缶などの収納容器の容器口を形成する収納容器の樹脂製口金部材に関する。
【０００２】
【従来技術】
従来技術において、王冠蓋を取付ける容器口は合成樹脂皮膜やエナメル皮膜などで被覆した金属製口金部材と、図１２に示す合成樹脂製口金部材５０があった。
【０００３】
【発明が解決しようとする課題】
（１）樹脂皮膜金属製口金部材は、王冠蓋を押し填め閉めるときに爪で皮膜が剥がれてしまい、そこに錆が生じるという欠点があった。
（２）従来の樹脂製口金部材５０は、天板５１の口金部材取付部５２の内側に本体を押し込んで、その樹脂部材の弾性力により密着力を得るものである。
樹脂製口金部材５０はその弾性反発力によりその側壁を口金部材取付部５２内壁に押し付け密着力を確保している構造であるため、密着力を強くするための反発力をより強く得ようとすると収縮を多くとることになり、返って歪が生じて隙間が生じる。したがって、弱い弾性力による弱く浅い密着力しか確保できないため、時間の経過とともに樹脂製口金部材が劣化し弾性力を失い隙間が生じ、抜けやすくなるという欠点を有するものであった。
【０００４】
本発明は以上のような従来技術の持つ問題点に鑑みてなされたものであって、その目的は、錆びることなく、時間の経過や温度の変化などによる隙間の発生が生じない強い密着力を実現し、抜け落ちる心配のない堅固な取付構造を有する樹脂製口金部材を提供することである。
【０００５】
【課題を解決するための手段】
上述した目的を達成するために本発明は次のように構成される。
本第１発明の収納容器の樹脂製口金部材は、収納容器注出口に固定される樹脂製口金部材において、樹脂製口金部材は、その下部に前記収納容器注出口周縁に設けられた口金部材取付部に固定される固定部と、前記固定部の内側縁に突出形成されるカシメ用突起部と、前記樹脂製口金部材の上部に拡径して形成される王冠蓋取付部とからなり、前記固定部を、前記収納容器の口金部材取付部に凹み形成される口金部材載置部に填め込み載置し、前記収納容器の口金部材載置部の内周縁を垂直に立ち上げ、前記内周縁の立上部の上方を外側に折り曲げて挟持用上面を形成するとともに、さらにその先端を内側下方へと折り曲げてこれを前記内周縁の立上部へと当接させることにより、前記カシメ用突起部の厚さより薄い板厚からなる折り曲げ部を形成し、前記王冠蓋取付部は、前記折り曲げ部における挟持用上面に非接触とさせつつ上部に拡径して形成されてなり、前記口金部材載置部の底面と、前記王冠蓋取付部が非接触とされた前記折り曲げ部における挟持用上面とが挟持された上で、当該挟持用上面を下方に押し込むようにして、前記填め込み載置された口金部材本体のカシメ用突起部を強く圧着するように押さえ込み、カシメ固着することにより収納容器注出口に固定されることを特徴とする。
【０００６】
本第２発明の収納容器の樹脂製口金部材は、内側壁部と外側壁部との間に形成される填め込み溝と、前記填め込み溝の外側壁の内側に形成される抜け防止のためのストッパー部と、前記樹脂製口金部材の上部を拡径して形成される王冠蓋取付部とからなり、前記樹脂製口金部材の填め込み溝を、収納容器の天板に突出形成される口金部材取付部の先端部を外側に折り曲げて形成した先端突出部に填め込み、前記填め込み溝の前記外側壁の内側に形成しストッパーと内側壁の外側面によって填り込んだ前記収納容器の口金部材取付部を強く挟持し固定することを特徴とする。
【０００７】
本第３発明は、本第１又は第２発明の収納容器の樹脂製口金部材において、前記樹脂製口金部材の王冠蓋取付部の天井部に上方に弾性力を有する外側に開いた密着片を形成し、前記樹脂製口金部材に着脱自在に装着される王冠蓋の下面と前記密着片との圧接により開口部を密封することを特徴とする。
【０００８】
本第４発明は、本第２又は第３発明の収納容器の樹脂製口金部材において、前記樹脂製口金部材の内側壁の内側面に環状突起を形成し、前記内側壁の下端に内側に水平に伸びる水平棚部を形成したことを特徴とする。
【０００９】
本第５発明は、本第２又は第３発明の収納容器の樹脂製口金部材において、前記樹脂製金部材の内側壁が直線的に下方に伸び、前記内側壁の内側面を平坦とし、内側壁の下端外側面にテーパ部を形成したことを特徴とする。
【００１０】
【発明の実施の形態】
以下、本発明の実施の形態を図面を参照しながら説明する。
【００１１】
＜実施の形態１＞
図１ないし図４に示す本発明の実施の形態１において１は一斗缶やペール缶や一リットル缶などの収納容器であって、この収納容器１は、収納容器本体２と、この収納容器１の天板１７に設けられた容器口３と、この容器口３を形成する口金部材取付部４と、この口金部材取付部４に取付けられた、ポリエチレなどの合成樹脂製部材からなる樹脂製口金部材５と、この樹脂製口金部材５に取付けられて容器口３を密封するパッキン６を有する王冠蓋７とからなっている。
当然、王冠蓋にとどまらず、蓋取付部に螺子を設けることにより螺子蓋が取付けられるなど多様な形態があることは言うまでもない。
【００１２】
樹脂製口金部材５は、樹脂製の口金部材本体８と、この口金部材本体８の下部に形成された、口金部材取付部４の凹み形成された口金部材載置部９に填り載置される固定部１０と、この固定部１０の内側に突出形成された、収納容器の口金部材載置部９の内側壁を兼ねるように外側へ折り立ち上げられ更に上方を外側に曲げられるカシメ部１１に上方から押さえカシメ固着されるカシメ突起部１２と、口金部材本体８の上側に形成された王冠蓋７の把持爪１３が該王冠蓋７の天上部が凸状態において掴む括れ部１４を外側に有する蓋取付部１５とからなっている。
【００１３】
収納容器の口金部材取付部４への樹脂製口金部材５の取付け工程は図４に示すようになっている。
図４−Ａ：収納容器の天板１７の容器口３を設ける部位を浅く凹ませて全体に凹部２０を形成する。
図４−Ｂ：凹部２０を口金部材載置部９を残して内側に凸部２１を形成する。
図４−Ｃ：凸部２１を更に押し上げ、天上部を抜き取り開口２２と立上部２３を形成する。
図４−Ｄ：樹脂製口金部材５の固定部１０を収納容器の口金部材載置部９に填め込み載置して樹脂製口金部材５を口金部材取付部４にセットする。
図４−Ｆ：口金部材取付部４の立上部２３の上を外側に巻き込みカシメ部１１を形成し、このカシメ部１１を下方に押し込むようにして該カシメ部１１でカシメ突起部１２を強く圧着するように押さえこみ、樹脂製口金部材５を収納容器の口金部材取付部４に固定・固着する。
以下の説明において、本実施の形態に記載したのと同じ構成には同じ符号を付しその説明を省略する。
【００１４】
＜実施の形態２＞
図５ないし図６に示す本発明の実施の形態２おいて２５は収納容器であって、この収納容器２５は前記実施形態１の収納容器１の構成の樹脂製口金部材５に変えて樹脂製口金部材２６を設けたものである。
樹脂製口金部材２６は蓋取付部１５の頭部に、樹脂製口金部材本体８と一体成形される上方に弾性力を有する外側に開いた密着片２７を形成したものである。
密着片２７は、王冠蓋７の天板２８が直接に押しあたり密閉するようになっている。密閉を更によくするために密着片を内側と外側に開く二枚の片を備えるものがよい。
このような構造とすることにより、パッキンを使用しない王冠蓋密閉構造を実現し、コストを軽減することができる。また、収納溶液を注ぎ出した場合の、液切れをよくできるので、外部への溶液の液だれを防止できるものである。
図示しないが、指掛けリングを有する封緘膜を樹脂製口金部材と一体成形により内側に設けることができることは言うまでもない。
【００１５】
＜実施の形態３＞
図７および図８に示す本発明の実施の形態３において４３は収納容器であって、この収納容器４３は前記した収納容器１の口金部材載置部構成をフラットな構成の口金部材載置部４４にしたものである。このような構成にしても十分な密着性と堅固性を実現する。
口金部材取付部４の形成から樹脂製口金部材８の取付け工程は図８に示すようになっており、前記図４に示した実施の形態１の工程の凹部２０と口金部材載置部９の形成が無いものである。
【００１６】
＜実施形態４＞
図９に示す本発明の実施の形態４において３０は収納容器であって、この収納容器３０は、収納容器本体２と、この収納容器本体２の天板１７に設けられた容器口３１と、この容器口３１を形成する口金部材取付部３２とからなっている。この口金部材取付部３２に、ポリエチレなどの合成樹脂製部材からなる樹脂製口金部材３３が取付けられ、この樹脂製口金部材３３に容器口３１を密封するパッキン６を有する王冠蓋７が取付けられる。
【００１７】
樹脂製口金部材３３は、合成樹脂製の口金部材本体３５と、この口金部材本体３５の下側に設けられた、収納容器３０の天板１７に設けられた容器口３１を形成する口金部材取付部３２の立上部３６の先端部を外側に巻き込んで形成した先端突出部３７が填り込むための填め込み溝３９を有する。この填め込み溝３９は外側壁４０と内側壁４２との間に形成され、外側壁４０の内側に、填り込んだ口金部材取付部３２の先端突出部３７より内側にくるように突出形成された抜け防止と強度を得るためのストッパー部４１を有する。填め込み溝３９の外側壁４０と内側壁４２とで填り込んだ口金部材取付部３２を強く挟持することにより、密着・密封力を強化した構造となっている。樹脂製口金部材３３の内側壁４２の内側面の上部には環状突起４５が形成され、この環状突起４５は、王冠蓋７のパッキン６の下端が係合し、シール効果を高めるために形成される。内側壁４２の下端部を内側に９０度屈曲し、水平棚部４６を形成し、収納容器３０から収納液を出入するノズルが収納容器３０内に落下するのを防止するために形成される。
【００１８】
＜実施形態５＞
図１０に示す本発明の実施形態５において、３０は収納容器であって、この収納容器３０は、収納容器本体２と、この収納容器本体２の金属製薄板部材からなる天板１７に設けられた容器口３１と、この容器口３１を形成する口金部材取付部３２とからなっている。この口金部材取付部３２に、ポリエチレなどの合成樹脂製部材からなる樹脂製口金部材３３が取付けられ、この樹脂製口金部材３３に容器口３１を密封するパッキン６を有する王冠蓋７が取付けられる。
【００１９】
樹脂製口金部材３３は、合成樹脂製の口金部材本体３５と、この口金部材本体３５の下側に設けられた、収納容器３０の金属製薄板部材からなる天板１７に設けられた容器口３１を形成する口金部材取付部３２の立上部３６の先端部を外側に巻き込んで形成した先端突出部３７が填り込むための填め込み溝３９を有する。この填め込み溝３９は外側壁４０と内側壁４２との間に形成され、外側壁４０の内側に、填り込んだ口金部材取付部３２の先端突出部３７より内側にくるように突出形成された抜け防止と強度を得るためのストッパー部４１を有する。填め込み溝３９の外側壁４０と内側壁４２とで填り込んだ口金部材取付部３２を強く挟持することにより、密着・密封力を強化した構造となっている。前記樹脂製金部材３３の内側壁４２は直線的に下方に伸び、前記内側壁４２の内側面を平坦とし、内側壁４２の下端の外側面にテーパ部４７を形成する。前記樹脂製口金部材３３の内側壁を直線的に下方に伸びるようにし、内側壁下端の外側面にテーパ部４７を形成することにより、収納容器の口金部材取付部３２への樹脂製口金部材３３の装着が容易になり、樹脂製口金部材３３の内側壁４２の内側面が平坦面とされるので、収納容器内の液体の出し入れが容易となる。
実施形態４、５の樹脂製口金部材が取付けられる収納容器３０の口金部材取付部３２の立上部３６の先端部を外側に巻き込んで形成する先端突出部３７の形状は、例えば、図１１に示されるようなものである。
【００２０】
【発明の効果】
本発明は以上述べたようになっているので次のような効果を奏する。
請求項１記載の発明の構成により、口金部材取付部の載置部に固定部を載置してカシメ突起部をカシメ部でカシメ圧着（載置部とカシメ部で挟持カシメる）される、すなわち樹脂製口金部材が動くことの出来ない状態に圧着固定される構造であるので、時間の経過による劣化や温度の変化程度では密着性と密着力に問題が起きることのない、容器口を有する収納容器を実現する。
また、合成樹脂製部材であるので、錆びの発生がないものである。
【００２１】
請求項２記載の発明の構成により、填め込み溝の外側壁と内側壁とで填り込んだ口金部材取付部を強く挟持する構成であるので、従来のものより密着力が強化され、且つ、密着部分が少なくとも内側壁と外側壁となるので、隙間が生じ難い樹脂製口金部材を実現する。
また、合成樹脂製部材であるので、錆びの発生がないものである。
【００２２】
請求項３記載の発明の構成により、樹脂製口金部材の天井部の環状密着片と王冠蓋の裏面が圧接してシール面を形成するので、王冠蓋にパッキンを装着しなくても液洩れを防止できる。
【００２３】
請求項４記載の発明の構成により、内側壁の内側面の環状突起が王冠蓋に装着され、樹脂製口金部材内にその一部が挿入されるパッキンの下端と環状突起が係合してシール面を形成し液洩れを防止し、内側壁の下端部の水平棚部は、収納容器から収納液を出入するノズルが収納容器内に落下するのを防止する。
【００２４】
請求項５記載の発明の構成により、収納容器の口金部材取付部への樹脂製口金部材の装着が容易になり、樹脂製口金部材の内側壁の内側面が平坦面とされるので、収納容器内の液体の出し入れが容易となる。
【図面の簡単な説明】
【図１】本発明の実施の形態１の樹脂製口金部材を口金部材取付部に取付固定した状態を示す収納容器の部分中央縦断面図。
【図２】本発明の実施の形態１の樹脂製口金部材の平面図。
【図３】本発明の実施の形態１の王冠蓋とパッキンを取付けた状態を示す収納容器の部分中央縦断面図。
【図４】本発明の実施の形態１の容器口形成工程図。
【図５】本発明の実施の形態２の樹脂製口金部材を口金部材取付部に取付固定した状態を示す収納容器の部分中央縦断面図。
【図６】本発明の実施の形態２の王冠蓋とパッキンを取付けた状態を示す収納容器の部分中央縦断面図。
【図７】本発明の実施の形態３の樹脂製口金部材を口金部材取付部に取付固定した状態を示す収納容器の部分中央縦断面図
【図８】本発明の実施の形態３の容器口形成工程図。
【図９】本発明の実施の形態４の樹脂製口金部材を口金部材取付部に取付固定した状態を示す収納容器の部分中央縦断面図。
【図１０】本発明の実施の形態５の樹脂製口金部材を口金部材取付部に取付固定した状態を示す収納容器の部分中央縦断面図。
【図１１】本発明の実施の形態４、５の樹脂製口金部材を取り付ける収納容器の口金部材取付部の形状を示す図
【図１２】従来技術の樹脂製口金部材を口金部材取付部に取付固定した状態を示す収納容器の部分中央縦断面図
【符号の説明】
１・・・・・収納容器
２・・・・・収納容器本体
３・・・・・容器口
４・・・・・口金部材取付部
５・・・・・樹脂製口金部材
６・・・・・パッキン
７・・・・・王冠蓋
８・・・・・口金部材本体
９・・・・・口金部材載置部
１０・・・・・固定部
１１・・・・・カシメ部
１２・・・・・カシメ突起部
１３・・・・・把持爪
１４・・・・・括れ部
１５・・・・・蓋取付部
１７・・・・・天板
２０・・・・・凹部
２１・・・・・凸部
２２・・・・・開口
２３・・・・・立上部
２５・・・・・収納容器
２６・・・・・樹脂製口金部材
２７・・・・・密着片
２８・・・・・天板
３０・・・・・収納容器
３１・・・・・容器口
３２・・・・・口金部材取付部
３３・・・・・樹脂製口金部材
３５・・・・・口金部材本体
３６・・・・・立上部
３９・・・・・填め込み溝
４０・・・・・外側壁
４１・・・・・ストッパー部
４２・・・・・内側壁
４３・・・・・収納容器
４４・・・・・口金部材載置部
４５・・・・・環状突起
４６・・・・・水平棚部
４７・・・・・テーパ部
５０・・・・・樹脂製口金部材
５１・・・・・天板
５２・・・・・口金部材取付部
５３・・・・・ストッパー部
【図１】
0003701255.tif 000002
【図２】
0003701255.tif 000003
【図３】
0003701255.tif 000004
【図４】
0003701255.tif 000005
【図５】
0003701255.tif 000006
【図６】
0003701255.tif 000007
【図７】
0003701255.tif 000008
【図８】
0003701255.tif 000009
【図９】
0003701255.tif 000010
【図１０】
0003701255.tif 000011
【図１１】
0003701255.tif 000012
【図１２】
0003701255.tif 000013